(57)【要約】【課題】できるだけ音を広範囲に拡散して多くの鳥獣に音を聞かせ、鳥獣を効果的に駆逐するスピーカー装置を提供することを目的とする。【解決手段】スピーカーを備える音声出力筐体と、音声出力筐体の一端面側から延在し、スピーカーからの音声の進行方向をガイドする音声ガイド枠と、音声ガイド枠の前方に、三角突条部が形成され、該三角突条部を境にして音声ガイド枠内を通過した音声を分岐する音声反射板と、音声出力筐体のスピーカーに対する音声反射板の角度を、適宜、調整する留め部とを有することを特徴とする。【選択図】図１
2019134359.tif 000002
【特許請求の範囲】
【請求項１】
一端面にスピーカーを備える音声出力筐体と、
前記音声出力筐体の一端面側から延在し、前記スピーカーからの音声の進行方向をガイドする音声ガイド枠と、
前記音声ガイド枠の前方に、三角突条部が形成され、該三角突条部を境にして前記音声ガイド枠内を通過した音声を分岐する音声反射板と、
前記音声出力筐体のスピーカーに対する前記音声反射板の角度を、適宜、調整する留め部とを有することを特徴とするスピーカー装置。
【請求項２】
前記三角突条部は前記音声反射板上の中央部に形成されていることを特徴とする請求項１に記載の音声出力装置。
【請求項３】
前記三角突条部は前記音声反射板上に、複数条が並列して形成されていることを特徴とする請求項１に記載の音声出力装置。
【請求項４】
前記三角突状部の三角形状は二等辺三角形であることを特徴とする請求項２〜請求項３のいずれか１項に記載の音声出力装置。
【発明の詳細な説明】
【背景技術】
【０００１】
本発明は、スピーカーから出力される音の進行方向を変更し、かつ音を拡散するスピーカー装置に関する。
【０００２】
カラスなどの野生の鳥や猿やイノシシなどの野生の動物が、田畑や農園の農作物に大きな被害を与えていることが新聞やテレビで報道されている。  最近では、クマやサル、イノシシなどが、住宅地に現れて人間の生活が脅かされるような事件も、珍しくなくなっている。
【０００３】
さらに、鹿などが増えすぎて山林の貴重な植物が食い荒らされるといった被害も報告されている。
【０００４】
そこで、これらの被害を防止するために、以下に示す鳥獣駆逐装置（特許文献１）が提案されている。また、スピーカーから出力する音声の方向を変更するスピーカー装置（特許文献２）が提案されている。
【先行技術文献】
【特許文献】
【０００５】
【特許文献１】特開２００９−１５９９４３号公報
【特許文献２】特開２０１２−１４２６５９号公報
【発明の概要】
【発明が解決しようとする課題】
【０００６】
周辺にいる鳥獣を駆逐するためには、できるだけ音を拡散して多くの鳥獣に音を聞かせる必要がある。
【０００７】
本発明は上記の問題を解決し、鳥獣を効果的に駆逐するスピーカー装置を提供することを目的とする。
【課題を解決するための手段】
【０００８】
本願発明のスピーカー装置は、一端面にスピーカーを備える音声出力筐体と、前記音声出力筐体の一端面側から延在し、前記スピーカーからの音声の進行方向をガイドする音声ガイド枠と、前記音声ガイド枠の前方に、三角突条部が形成され、該三角突条部を境にして前記音声ガイド枠内を通過した音声を分岐する音声反射板と、前記音声出力筐体のスピーカーに対する前記音声反射板の角度を、適宜、調整する留め部とを有することを特徴とする。
【発明の効果】
【０００９】
本願発明のスピーカー装置によれば、スピーカーから出た音声は、音声ガイド枠に沿って直進した後、音声反射板により反射して進行方向を変えるとともに、音声反射板の三角突状部に進行してきた音声は、三角突状部の両側の斜面において、それぞれ両サイドに分かれて反射する。
【００１０】
これにより、直進してきた音声は、前方および両サイドにも進行するので、スピーカーから出た音声は、より広い範囲に拡散する。
【図面の簡単な説明】
【００１１】
【図１】図１は、本発明の実施形態に係るスピーカー装置の斜視図である。
【図２】図２は、本発明のスピーカー装置の筐体に収納されている電子回路のブロック図を示す図である。
【図３】図３は、本発明のスピーカー装置をポールに取り付けて使用する例を示す図である。
【図４】図４は、本発明のスピーカー装置の音の進行状態を横側から見た図である。
【図５】図５は、本発明のスピーカー装置の音の進行状態を正面から見た図である。
【図６】図６は、本発明のスピーカー装置の別の実施形態に係る反射板の構造を示す図である。
【発明を実施するための形態】
【００１２】
以下に、本発明の実施の形態に係るスピーカー装置について、添付図面を参照しながら詳細に説明する。
【００１３】
図１は、本発明の実施形態に係るスピーカー装置の斜視図である。スピーカー装置は、スピーカーの筐体１（音声出力筐体）と音の反射板２とを備えており、反射板２は、反射板２の支持片２aを介して、留め金３により、筐体１の下側に取り付けられている。また、反射板２の中央部には、二等辺三角形の三角形状の突条部２ｂが形成されている。
【００１４】
留め金３は、例えば、ボルトとナットからなり、ボルトを緩めることにより、反射板２の取り付け角度を、適宜、調整することができる。
【００１５】
４は筐体１に収納されているスピーカーであり、音が外に出ていくように、スピーカー４のコーンが筐体１の一端面から露出している。
【００１６】
５は音声ガイド枠であり、スピーカー４から発生した音を反射板２の方向にガイドする。
【００１７】
図２は、スピーカーの筐体１の内部の構成を示す電気回路のブロック図である。電源コード６を介して供給された電力は、電源部７aに入力し、音声作成回路部７bで音声信号が作成された後、スピーカー４から音声が外に向けて発生する。
【００１８】
次に本発明の実施形態に係るスピーカー装置の使用例について説明する。
【００１９】
本発明の実施形態に係るスピーカー装置は、農地や果樹園、山林に生息する鳥や獣を駆逐するため、野外に設置することがある。そのため、ポール等に取り付けることが多い。
図３は、本発明の実施形態に係るスピーカー装置をポール８に取り付けて使用する状態を説明する斜視図である。
【００２０】
図において、９は筐体１の下に取り付けられた筐体の台座、１０は台座９から下方に延びる板状の支持片である。また、１１は扇形状のポール側の支持片、１２は扇形状の支持片１１に形成された弧形状の係合孔、１３は支持片１１から延びる板状のポール取り付け部、１４はポール取り付け部１３に形成された結束ンドの通し孔、１５はポールに巻回してスピーカー装置を装着する結束バンド、１６は台座側の支持片１０とポール側の支持片１１を固定するボルトである。
【００２１】
次に、本発明の実施形態に係るスピーカー装置をポールに装着する方法について説明する。
【００２２】
まず、ポール取り付け部１３の通し孔１４に結束バンド１５を通し、次いで、結束バンド１５をポール８に巻回して締め付けてポール取り付け部１３をポール８に固定する。
【００２３】
次に、筐体１の台座９の支持片１０の係合孔（不図示）とポール側の支持片１１の弧形状の係合孔とを一致させた後、双方の係合孔にボルト１６を挿入し、反対側からナット（不図示）を取り付け、ボルト１６とナットを締めつけて、筐体１が所定の角度に向くような位置で固定する。
【００２４】
次に、反射板２の留め金３を緩め、反射板２の傾斜角度を調整した後、留め金３を締め付ける。
【００２５】
図４では、筐体１は、下向きの垂直の方向に対して、ほぼ３０度の方向に向けており、反射板２の傾斜は、下向きの垂直の方向に対して、ほぼ６０度の方向に向けている。
【００２６】
これにより、筐体１のスピーカー４から出た音声S1は、３０度傾斜した反射板２で反射され、音声S2となってほぼ水平方向に向かって前方に進行する。
【００２７】
また、図５に示すように、反射板２の三角形状の突条部２ｂの右側の斜面２ｃにあたった音声S4は、向かって右側に進行する。反射板２の三角形状の突条部２ｂの左側の斜面２ｄにあたった音声S3は、向かって左側に進行する。
【００２８】
なお、反射板２の平坦面にあたった音声S5,  S6は、前方向に進行する。
【００２９】
このように、本発明の実施形態によれば、スピーカーから出た音声は、前方向にも、両サイドにも同時に進行させることができる。
【００３０】
従って、本発明の実施形態に係るスピーカー装置によれば、スピーカーの音声を広範囲に拡散させることができるので、周辺の多くの鳥獣に聞かせることが可能となる。
【００３１】
なお、超音波の波長は短いので、音の直進性が高く、横方向への広がりは少ないことが知られている。
【００３２】
従って、特開２００９−１５９９４３号公報に開示されているような、５０KHz、あるいはそれ以上の超音波を含んだ音を出力する鳥獣駆逐装置に本願発明の実施形態に係るスピーカー装置を適用すれば、音の拡散効果が大きく、鳥獣駆逐の範囲を広げることができる。
【００３３】
なお、本願発明の実施形態においては、突条部の形状を二等辺三角形としているが、必ずしも、二等辺三角形である必要はない。例えば、突条部の右側斜面を長くし、左側斜面を短くしてもよいし、逆に左側斜面を長くし、右側斜面を短くしてもよい。このようにすることにより、どちらか一方に、より広く拡散させることができる。
【００３４】
また、図４に示すように、本発明の実施形態に係るスピーカー装置によれば、垂直方向からほぼ30度下向きに向けることができる。これにより、暴風雨などの横殴りの雨などが降っても、スピーカーまで雨が侵入することを防ぐことができるので、野外での使用に適している。もちろん、必要に応じてスピーカー装置をほぼ垂直下向きに向けることもできる。
【００３５】
図６は、反射板の三角突条部を並列に2本、形成した状態を示している。このような、反射板を使用しても、音の拡散範囲を広げることができる。
【符号の説明】
【００３６】
１・・・筐体（音声出力筐体）
２・・・反射板
２a・・・支持片
２b・・・三角形状の突条部
３・・・留め金
４・・・スピーカー
５・・・音声ガイド枠
６・・・電源コード
７a・・・電源部
７b・・・音声作成回路部
８ ・・・ポール
９ ・・・台座
１０・・・支持片
１１ ・・・支持片
１２ ・・・契合孔
１３・・・ポール取り付け部
１４・・・通し孔
１５・・・結束バンド
１６・・・ボルト
【図１】
2019134359.tif 000003
【図２】
2019134359.tif 000004
【図３】
2019134359.tif 000005
【図４】
2019134359.tif 000006
【図５】
2019134359.tif 000007
【図６】
2019134359.tif 000008
【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
一端面にスピーカーを備える音声出力筐体と、
前記音声出力筐体の一端面側から延在し、前記スピーカーからの音声の進行方向をガイドする音声ガイド枠と、
前記音声ガイド枠の前方に、三角突条部が形成され、該三角突条部を境にして前記音声ガイド枠内を通過した音声を分岐する音声反射板と、
前記音声出力筐体のスピーカーに対する前記音声反射板の角度を、適宜、調整する留め部とを有することを特徴とするスピーカー装置。
【請求項２】
前記三角突条部は前記音声反射板上の中央部に形成されていることを特徴とする請求項１に記載の音声出力装置。
【請求項３】
前記三角突条部は前記音声反射板上に、複数条が並列して形成されていることを特徴とする請求項１に記載の音声出力装置。
【請求項４】
前記三角突条部の三角形状は二等辺三角形であることを特徴とする請求項２〜請求項３のいずれか１項に記載の音声出力装置。